(57)【要約】【課題】ハンガー部を有するハンド形子機もハンガー部を有しない握り押ボタンも安定的に懸架することが可能な小型の構造を実現できるようにする。【解決手段】プラグの差込口がある平面５０から立設され、先端部１２がテーパを有し先細形状となっている突出部１０と、突出部１０の先端に設けられたカップ形状の部材であって、当該カップ形状の底部が突出部１０の先端に連設され、当該底部を支点としてカップ形状を外側および内側に反転可能な弾性を有し、カップ形状の縁部分に切欠き部２１を形成して成るカップ部２０とを備え、カップ部２０を外側に反転させた状態にしてハンド形子機のハンガー部を先端部１２に懸架することができるようにするとともに、先端部１２に握り押ボタンのコードを懸架した状態でカップ部２０を内側に反転させることによってカップ部２０でコードを保持できるようにする。【選択図】図１
2015045358.tif 000002
【特許請求の範囲】
【請求項１】
プラグを差し込むための差込口がある平面から立設され、先端部がテーパを有し先細形状となっている突出部と、
上記突出部の先端に設けられたカップ形状の部材であって、当該カップ形状の底部が上記突出部の先端に連設され、当該底部を支点として上記カップ形状を外側および内側に反転可能な弾性を有し、上記カップ形状の縁部分に切欠き部を形成して成るカップ部とを備えたことを特徴とするフック機能付きウォールユニット。
【請求項２】
上記カップ部は、上記カップ形状の縁部分の略対角線上に略半円状の切欠き部を２つ備えたことを特徴とする請求項１に記載のフック機能付きウォールユニット。
【発明の詳細な説明】
【技術分野】
【０００１】
本発明は、フック機能付きウォールユニットに関し、特に、ナースコール子機のプラグを接続する差込口とフックとを備えて構成されたフック機能付きウォールユニットに用いて好適なものである。
【背景技術】
【０００２】
一般的に、ナースコールシステムは、ベッドサイド等に設置するナースコール子機と、ベッドサイド等の壁に埋め込み設置するウォールユニットと、部屋の入口付近に設置する廊下灯と、ナースセンタに設置するナースコール親機とを備えて構成されている。ナースコール子機には種々のタイプがある。例えば、図５（ａ）のように、呼出ボタン１０１の他にスピーカ１０２とマイク１０３とを備えて通話を行うことが可能なタイプのハンド形子機１００や、図５（ｂ）のように呼出ボタン１１１のみを備えたタイプの握り押ボタン１１０が存在する。
【０００３】
また、ウォールユニットにも種々のタイプがある。例えば、ナースコール子機のプラグを接続する差込口（プラグ受け）を備えるとともに、呼出ボタン、スピーカ、マイクを備えて通話を行うことが可能なタイプの壁埋込形子機がある。また、ナースコール子機のプラグを接続する差込口を備えているが、呼出ボタン、スピーカ、マイクを備えていないタイプのコンセントも存在する。ウォールユニットの中には、図６に示すように、差込口２０１の他に、図５（ａ）に示したハンド形子機１００が備えるハンガー部１０４を懸架することが可能になされたフック２０２を備えたものも存在する。
【０００４】
通常、ハンド形子機１００には図５（ａ）のようにハンガー部１０４を有しているものが多いため、ウォールユニットのフック２０２にハンド形子機１００のハンガー部１０４を懸架することが可能である。しかしながら、図５（ｂ）のような握り押ボタン１１０はハンガー部を持たないため、フック２０２に懸架することができない。
【０００５】
なお、握り押ボタン１１０のコード１１２をフック２０２に掛けることにより、握り押ボタン１１０をウォールユニットに吊るすことは一応可能である。しかし、コード１１２がフック２０２に固定されているわけではないので安定性が悪く、握り押ボタン１１０の自重や患者等との接触によってコード１１２がフック２０２から外れ、握り押ボタン１１０が落ちやすいという問題があった。
【０００６】
これに対して、子機のハンガー部が懸架されるフックと、子機に接続されたコードが掛け渡される所定長のＵ字溝とを備えたベッドハンガーが知られている（例えば、特許文献１参照）。この特許文献１に記載のベッドハンガーを用いれば、握り押ボタンをフックに懸架することはできないものの、握り押ボタンのコードをＵ字溝に掛け渡すことにより、ある程度の安定性をもって握り押ボタンをベッドハンガーに吊るしておくことが可能である。つまり、ハンド形子機をフックに架けることも握り押ボタンをＵ字溝に吊るすことも可能である。
【先行技術文献】
【特許文献】
【０００７】
【特許文献１】実開平７−１８０８７号公報
【発明の概要】
【発明が解決しようとする課題】
【０００８】
しかしながら、上記特許文献１に記載のベッドハンガーでは、フックだけでなくＵ字溝も備えることが必要であり、かつ、握り押ボタンの自重などによってコードが簡単には外れないようにするためにＵ字溝をある程度長く構成する必要がある。そのため、構造として大型化してしまうという問題があった。また、特許文献１に記載された構造を壁埋込形のウォールユニットに適用することはできないという問題もあった。
【０００９】
本発明は、このような問題を解決するために成されたものであり、ハンガー部を有するハンド形子機もハンガー部を有しない握り押ボタンも壁埋込形のウォールユニットにおいて安定的に懸架することが可能な小型の構造を実現できるようにすることを目的とする。
【課題を解決するための手段】
【００１０】
上記した課題を解決するために、本発明では、プラグの差込口がある平面から立設され、先端部がテーパを有し先細形状となっている突出部と、突出部の先端に設けられたカップ形状の部材であって、当該カップ形状の底部が突出部の先端に連設されたカップ部とを備える。カップ部は、その底部を支点としてカップ形状を外側および内側に反転可能な弾性を有している。また、カップ部の縁部分には、コードを通すための切欠き部を形成するようにしている。
【発明の効果】
【００１１】
上記のように構成した本発明によれば、カップ部の縁部分を差込口がある平面とは反対側（外側）に移動させることによってカップ部を外側に反転させた状態にすると、突出部の先端部においてカップ部の底部に向かって先細になるテーパ面と、カップ部の底部における曲面とにより凹みが形成されるので、その凹みにハンド形子機のハンガー部を安定的に懸架することが可能となる。
【００１２】
一方、上記凹みに握り押ボタンのコードを懸架した状態で、カップ部の縁部分を差込口がある平面側（内側）に移動させることによってカップ部を内側に反転させると、カップ部に覆われてコードが保持されることとなるので、握り押ボタンのコードを安定的に懸架することが可能となる。
【００１３】
突出部とカップ部とは一体的に形成されており、突出部の先端部におけるテーパ面とカップ部の底部における曲面とにより形成される凹みに対してハンド形子機のハンガー部も握り押ボタンのコードも懸架することができるので、構造が複雑でなく、フック機能付きウォールユニットの小型化も可能である。
【図面の簡単な説明】
【００１４】
【図１】本実施形態によるフック機能付きウォールユニットの構成例を示す図である。
【図２】本実施形態のフック機能付きウォールユニットにハンド形子機のハンガー部を懸架した状態を示す図である。
【図３】本実施形態のフック機能付きウォールユニットに握り押ボタンのコードを懸架した状態を示す図である。
【図４】本実施形態によるカップ部の変形例を示す図である。
【図５】一般的なナースコール子機（ハンド形子機および握り押ボタン）の構成例を示す図である。
【図６】フックを備えたウォールユニットの従来の構成例を示す図である。
【発明を実施するための形態】
【００１５】
以下、本発明の一実施形態を図面に基づいて説明する。図１は、本実施形態によるフック機能付きウォールユニットの構成例を示す図である。図１（ａ）および（ｂ）は側面図、図１（ｃ）は正面図を示している。
【００１６】
図１に示すように、本実施形態のフック機能付きウォールユニットは、ナースコール子機のプラグを差し込むための差込口がある平面５０から立設された突出部１０と、当該突出部１０の先端に設けられたカップ形状のカップ部２０とを備えて構成されている。
【００１７】
突出部１０は、土台部１１と先端部１２とから成る。土台部１１は、例えば円柱形状をしている。一方、先端部１２はテーパを有し、先細形状（先端側が細くなっている円錐台形状）となっている。
【００１８】
カップ部２０は、カップ形状の底部が突出部１０の先端に連設されている。また、カップ部２０の縁部分には、その略対角線上に略半円状の切欠き部２１を２つ形成している。この切欠き部２１は、ハンド形子機や握り押ボタンなどのナースコール子機が有するコードの太さ大に形成するのが好ましい。
【００１９】
また、カップ部２０は、その底部を支点としてカップ形状を外側および内側に反転可能な弾性を有している。例えば、カップ部２０は、常温で非常に大きな弾性をもつ高分子物質であるエラストマー素材により構成する。必ずしもエラストマー素材を用いる必要はないが、滑り止めの性能も有している点でエラストマー素材を用いるのが好ましい。
【００２０】
なお、図１（ａ）は、カップ部２０の縁部分を平面５０とは反対側（外側）に移動させることによってカップ部２０を外側に反転させた状態を示している。一方、図１（ｂ）は、カップ部２０の縁部分を平面５０側（内側）に移動させることによってカップ部２０を内側に反転させた状態を示している。また、図１（ｃ）は、フック機能付きウォールユニットの先端側から平面５０側を見た状態の正面図を示している。
【００２１】
ここで、カップ部２０の縁部分の直径Ｒ２は、突出部１０の土台部１１の直径Ｒ１と略同じかそれより若干大きく設定するのが好ましい。また、カップ部２０の縁部から底部までの深さＬ２は、突出部１０の先端部１２を形成している円錐台の高さＬ１と略同じかそれより若干長く設定するのが好ましい。このようなサイズに形成することにより、カップ部２０を内側に反転させた状態において、突出部１０の先端部１２をカップ部２０によって完全に覆うことが可能となる。なお、突出部１０の先端部１２をカップ部２０によって完全に覆うように設計するのが好ましいが、本発明は必ずしもそれに限定されない。
【００２２】
また、突出部１０の先端部１２におけるテーパ角度は、土台部１１の直径Ｒ１と先端部１２の先端における直径Ｒ３との差が、図５（ｂ）に示した握り押ボタン１１０のコード１１２の直径と略同じかそれより若干大きくなるように設計するのが好ましい。このように設計することにより、突出部１０の先端部１２にコード１１２を架けてカップ部２０を内側に反転させたときに、突出部１０の先端部１２とカップ部２０との間にできる空間内にコード１１２を収めることが可能となる。
【００２３】
なお、ここでは「（Ｒ１−Ｒ３）≧コード１１２の直径」とする例について説明したが、本発明はこれに限定されるものではない。例えば、土台部１１の直径Ｒ１と先端部１２の先端における直径Ｒ３との差がコード１１２の直径より若干小さくなるようにしてもよい。若干小さくなる程度であれば、カップ部２０は弾性を有するエラストマー素材により構成しているので、カップ部２０の内側にコード１１２を収めることが可能である。あるいは、「（Ｒ１−Ｒ３）＜コード１１２の直径」となる場合に、カップ部２０の縁部分の直径Ｒ２を若干大き目に設計するようにしてもよい。
【００２４】
図２は、本実施形態のフック機能付きウォールユニットにハンド形子機１００のハンガー部１０４を懸架した状態を示す側面図である。図２に示すように、カップ部２０を外側に反転させた状態にすると、突出部１０の先端部１２においてカップ部２０の底部に向かって先細になるテーパ面と、カップ部２０の底部における曲面とにより凹みが形成される。よって、その凹みにハンド形子機１００のハンガー部１０４を安定的に懸架することが可能となる。
【００２５】
図３は、本実施形態のフック機能付きウォールユニットに握り押ボタン１１０のコード１１２を懸架した状態を示す図であり、図３（ａ）は側面図、図３（ｂ）は正面図を示している。図３に示すように、上述した凹みに握り押ボタン１１０のコード１１２を懸架した状態で、カップ部２０を内側に反転させると、コード１１２がカップ部２０によって覆われた状態となる。また、カップ部２０に形成された２つの切欠き部２１にコード１１２が通され、かつ、コード１１２が切欠き部２１に圧接されて保持された状態となる。これにより、握り押ボタン１１０のコード１１２を安定的に懸架することが可能となる。
【００２６】
以上のように、本実施形態によれば、ハンガー部１０４を有するハンド形子機１００もハンガー部を有しない握り押ボタン１１０も安定的に懸架することができる。しかも、突出部１０とカップ部２０とは一体的に形成されており、突出部１０の先端部１２におけるテーパ面とカップ部２０の底部における曲面とにより形成される凹みに対してハンド形子機１００のハンガー部１０４も握り押ボタン１１０のコード１１２も懸架することができるので、構造が複雑でなく、小型化を図ることも可能である。
【００２７】
なお、上記実施形態では、フック機能付きウォールユニットにハンド形子機１００や握り押ボタン１１０を懸架する例について説明したが、懸架する機器はこれに限定されない。ハンガー部またはコードを有する機器であれば、何れも本実施形態のフック機能付きウォールユニットに懸架することが可能である。
【００２８】
また、上記実施形態では、カップ部２０がその縁部分の略対角線上に２つの切欠き部２１を備える例について説明したが、本発明はこれに限定されない。すなわち、２つの切欠き部２１は必ずしも略対角線上にある必要はない。また、図４に示すように、突出部１０の左右に架け渡された２本分のコードを通すことが可能な大きさを有する切欠き部を１つのみ設けるようにしてもよい。
【００２９】
上述のように、突出部１０の先端部１２におけるテーパ面とカップ部２０の曲面とで形成される凹みにコード１１２が架けられるので、摩擦抵抗力が大きくなり、握り押ボタン１１０は自重程度では滑り落ちにくくなる。患者がぶつかるなどして握り押ボタン１１０に外力が加わった場合でも、図４のような構造のカップ部２０によってコード１１２を覆っていれば、握り押ボタン１１０が落ちてしまうことを防ぐことができる。ただし、上記実施形態のように２つの切欠き部２１を設けた方が、コード１１２の保持力が大きくなって握り押ボタン１１０をより安定的に懸架することができるので、好ましい。
【００３０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３１】
１０  突出部
１２  先端部
２０  カップ部
２１  切欠き部
【図１】
2015045358.tif 000003
【図２】
2015045358.tif 000004
【図３】
2015045358.tif 000005
【図４】
2015045358.tif 000006
【図５】
2015045358.tif 000007
【図６】
2015045358.tif 000008